【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
評価の対象となる複数の単位における活動を評価する評価装置であって、前記活動それぞれは１つ以上の概念を含み、
前記複数の単位に対して、前記複数の単位においてされている活動を問い合わせる問い合わせ手段と、
前記問い合わせに応じて前記複数の単位から返された応答に含まれ、前記活動を示す活動データから、前記複数の単位それぞれにおいて用いられている活動の概念を分析し、前記分析の結果として得られた概念を示す概念データを生成する概念分析手段と、
前記活動データおよび前記概念データに基づいて、前記活動、前記概念および前記単位またはこれらの内の１つ以上の任意の組み合わせの価値を評価する評価手段と
を有する評価装置。
【請求項２】
前記活動データは、
前記活動の相手となった単位を示す相手単位データと、
前記活動の内容を示す活動内容データと
を少なくとも含み、
前記概念分析手段は、前記活動データに含まれる活動内容データを分析して、前記活動の概念を示す概念データを生成し、
前記評価手段は、前記活動内容データおよび前記概念データまたはこれらのいずれかと、前記相手単位データとに基づいて、前記活動および前記概念またはこれらのいずれかが影響を与えている前記単位の数、影響の強さおよび範囲またはこれらの内の任意の１つ以上の組み合わせの価値を評価する
請求項１に記載の評価装置。
【請求項３】
前記活動は、情報の伝達であって、
前記活動データは、
前記情報を伝達した相手の前記単位を示す伝達相手データと、
前記伝達された情報の内容を示す情報内容データと
を少なくとも含み、
前記概念分析手段は、前記活動データに含まれる情報内容データを分析して、前記伝達された情報の概念を示す概念データを生成し、
前記評価手段は、前記情報内容データおよび前記概念データまたはこれらのいずれかと、前記相手単位データとに基づいて、前記情報および前記概念またはこれらいずれかが影響を与えている前記単位の数、影響の強さおよび範囲またはこれらの内の任意の１つ以上の組み合わせの価値を評価する
請求項１に記載の評価装置。
【請求項４】
前記活動は、心理的な活動であって、
前記活動データは、
前記心理的な活動の客体となった前記単位を示す客体単位データと、
前記心理的な活動の内容を示す心理活動内容データと
を少なくとも含み、
前記概念分析手段は、前記活動データに含まれる心理活動内容データを分析して、前記心理的な活動の概念を示す概念データを生成し、
前記評価手段は、前記心理活動内容データおよび前記概念データまたはこれらのいずれかと、前記客体単位データとに基づいて、前記心理活動および前記概念またはこれらのいずれかが影響を与えている前記単位の数、影響の強さおよび範囲またはこれらの内の任意の１つ以上の組み合わせの価値を評価する
請求項１に記載の評価装置。
【請求項５】
前記複数の単位は、それぞれ１つ以上の構成部分を含む組織、および、個人、またはこれらのいずれかである
請求項１〜４のいずれかに記載の評価装置。
【請求項６】
評価の対象となる複数の単位における活動を評価する評価方法であって、前記活動それぞれは１つ以上の概念を含み、
前記複数の単位に対して、前記複数の単位においてされている活動を問い合わせ、
前記問い合わせに応じて前記複数の単位から返された応答に含まれ、前記活動を示す活動データから、前記複数の単位それぞれにおいて用いられている活動の概念を分析し、前記分析の結果として得られた概念を示す概念データを生成し、
前記活動データおよび前記概念データに基づいて、前記活動、前記概念および前記単位またはこれらの内の１つ以上の任意の組み合わせの価値を評価する
評価方法。
【請求項７】
前記活動データは、
前記活動の相手となった単位を示す相手単位データと、
前記活動の内容を示す活動内容データと
を少なくとも含み、
前記活動データに含まれる活動内容データを分析して、前記活動の概念を示す概念データを生成し、
前記活動内容データおよび前記概念データまたはこれらのいずれかと、前記相手単位データとに基づいて、前記活動および前記概念またはこれらのいずれかが影響を与えている前記単位の数、影響の強さおよび範囲またはこれらの内の任意の１つ以上の組み合わせの価値を評価する
請求項６に記載の評価方法。
【請求項８】
前記活動は、情報の伝達であって、
前記活動データは、
前記情報を伝達した相手の前記単位を示す伝達相手データと、
前記伝達された情報の内容を示す情報内容データと
を少なくとも含み、
前記活動データに含まれる情報内容データを分析して、前記伝達された情報の概念を示す概念データを生成し、
前記情報内容データおよび前記概念データまたはこれらのいずれかと、前記相手単位データとに基づいて、前記情報および前記概念またはこれらのいずれかが影響を与えている前記単位の数、影響の強さおよび範囲またはこれらの内の任意の１つ以上の組み合わせの価値を評価する
請求項６に記載の評価方法。
【請求項９】
前記活動は、心理的な活動であって、
前記活動データは、
前記心理的な活動の客体となった前記単位を示す客体単位データと、
前記心理的な活動の内容を示す心理活動内容データと
を少なくとも含み、
前記活動データに含まれる心理活動内容データを分析して、前記心理的な活動の概念を示す概念データを生成し、
前記心理活動内容データおよび前記概念データまたはこれらのいずれかと、前記客体単位データとに基づいて、前記心理活動および前記概念またはこれらのいずれかが影響を与えている前記単位の数、影響の強さおよび範囲またはこれらの内の任意の１つ以上の組み合わせの価値を評価する
請求項６に記載の評価方法。
【請求項１０】
前記複数の単位は、それぞれ１つ以上の構成部分を含む組織、および、個人、またはこれらのいずれかである
請求項６〜９のいずれかに記載の評価方法。
【請求項１１】
評価の対象となる複数の単位における活動を評価するプログラムであって、前記活動それぞれは１つ以上の概念を含み、
前記複数の単位に対して、前記複数の単位においてされている活動を問い合わせるステップと、
前記問い合わせに応じて前記複数の単位から返された応答に含まれ、前記活動を示す活動データから、前記複数の単位それぞれにおいて用いられている活動の概念を分析し、前記分析の結果として得られた概念を示す概念データを生成するステップと、
前記活動データおよび前記概念データに基づいて、前記活動、前記概念および前記単位またはこれらの内の１つ以上の任意の組み合わせの価値を評価するステップと
をコンピュータに実行させるプログラム。
【請求項１２】
前記活動データは、
前記活動の相手となった単位を示す相手単位データと、
前記活動の内容を示す活動内容データと
を少なくとも含み、
前記概念データを生成するステップにおいて、前記活動データに含まれる活動内容データを分析して、前記活動の概念を示す概念データを生成する処理と、
前記評価するステップにおいて、前記活動内容データおよび前記概念データまたはこれらのいずれかと、前記相手単位データとに基づいて、前記活動および前記概念またはこれらのいずれかが影響を与えている前記単位の数、影響の強さおよび範囲またはこれらの内の任意の１つ以上の組み合わせの価値を評価する処理と
をコンピュータに実行させる請求項１１に記載のプログラム。
【請求項１３】
前記活動は、情報の伝達であって、
前記活動データは、
前記情報を伝達した相手の前記単位を示す伝達相手データと、
前記伝達された情報の内容を示す情報内容データと
を少なくとも含み、
前記概念データを生成するステップにおいて、前記活動データに含まれる情報内容データを分析して、前記伝達された情報の概念を示す概念データを生成する処理と、
前記評価するステップにおいて、前記情報内容データおよび前記概念データまたはこれらのいずれかと、前記相手単位データとに基づいて、前記活動および前記概念またはこれらのいずれかが影響を与えている前記単位の数、影響の強さおよび範囲またはこれらの内の任意の１つ以上の組み合わせの価値を評価する処理と
をコンピュータに実行させる請求項１１に記載のプログラム。
【請求項１４】
前記活動は、心理的な活動であって、
前記活動データは、
前記心理的な活動の客体となった前記単位を示す客体単位データと、
前記心理的な活動の内容を示す心理活動内容データと
を少なくとも含み、
前記概念データを生成するステップにおいて、前記活動データに含まれる心理活動内容データを分析して、前記心理的な活動の概念を示す概念データを生成する処理と、
前記評価するステップにおいて、前記心理活動内容データおよび前記概念データまたはこれらのいずれかと、前記客体単位データとに基づいて、前記心理活動および前記概念またはこれらのいずれかが影響を与えている前記単位の数、影響の強さおよび範囲またはこれらの内の任意の１つ以上の組み合わせの価値を評価する処理と
をコンピュータに実行させる請求項１１に記載のプログラム。
【請求項１５】
前記複数の単位は、それぞれ１つ以上の構成部分を含む組織、および、個人、またはこれらのいずれかである
請求項１１〜１４のいずれかに記載のプログラム。